(57)【特許請求の範囲】
【請求項１】
複数系統の負荷に温水を供給する温水暖房システムと各系統毎の通信線で接続され、そのうちの少なくとも一つの系統の通信線を通じて温水暖房システムから電源供給を受けていれば動作可能で、各系統の通信線に対応した入力操作を個別に行なうことができる入力操作器において、
いずれかの系統の前記通信線において前記温水暖房システムとの通信が所定時間以上中断した場合には、当該系統の入力操作を受け付けないようにする手段を備えた温水暖房システム用の入力操作器。
【発明の詳細な説明】
【０００１】
【発明の属する技術分野】
本発明は、複数台の熱源器を接続した大能力用の温水暖房システムに用いるリモートコントローラ等の入力操作器に関する。
【０００２】
【従来の技術】
室内床面を例えば２つの領域に分割し、室内の一方床面と他方床面とにそれぞれ床暖房パネルを設置し、一方床面に設置された床暖房パネルと他方床面に設置された床暖房パネルを温水暖房システムにより別々に運転できるようにすることがある。その場合、温水暖房システムの運転と停止、設定温度、タイマ等を系統毎に個別に操作する必要があるので、室内には２つのリモートコントローラを設ける必要がある。
【０００３】
しかし、複数のリモートコントローラを室内に設置することは、使い勝手のうえからも外観の点からも好ましくないので、複数系統の床暖房パネルに給湯する温水暖房システムを系統毎に個別にコントロールすることができる複数系統用のリモートコントローラが用いられることがある。図１に示すものは、温水暖房システムをＡ系統とＢ系統の２つの系統で制御するためのリモートコントローラ１の一例であって、Ａ系統で温水暖房システムを運転又は停止するための運転／停止スイッチ２、Ｂ系統で温水暖房システムを運転又は停止するための運転／停止スイッチ３を備えている。また、４は液晶表示部であって、選択されている系統５、現在時刻６、Ａ系統の温水暖房システムの予約時刻７および温度表示８、Ｂ系統の温水暖房システムの予約時刻９および温度表示１０が表示される。１１は予約設定スイッチ、１２は予約選択スイッチ、１３は予約運転スイッチであって、Ａ系統の予約かＢ系統の予約かは、選択スイッチ１４によって切り換えられる。また、１５は温度や予約時間等を設定するためのアップダウンスイッチ、１６は室温検知用のルームセンサである。
【０００４】
【発明が解決しようとする課題】
しかしながら、このような２系統用のリモートコントローラでは、温水暖房システムの各系統と３芯の通信線（電源線、信号線、アース線）で結ばれており、両方の系統から電力を供給されていた。そのため、一方の系統と接続されている通信線が断線しても、他方の系統から電力が供給されているので、リモートコントローラ上では、断線した系統のスイッチ入力までが受け付けられ、スイッチ操作に応答してランプが点灯したり、スイッチ受付け音（ブザー音）がなったりする。
【０００５】
よって、このリモートコントローラの使用者には断線が分からず、スイッチ入力の受付け音が鳴り、ランプが点灯しているのに一方の系統だけが運転されない現象が起り、使用者に混乱を与えていた。
【０００６】
本発明は上述の技術的問題点を解決するためになされたものであり、その目的とするところは、複数系統で使用される温水暖房システムに用いられる複数系統用の入力操作器において、一部の系統のみが断線した場合にも、断線したことが使用者に分かるようにすることにある。
【０００７】
【発明の開示】
請求項１に記載した温水暖房システム用の入力操作器は、複数系統の負荷に温水を供給する温水暖房システムと各系統毎の通信線で接続され、そのうちの少なくとも一つの系統の通信線を通じて温水暖房システムから電源供給を受けていれば動作可能で、各系統の通信線に対応した入力操作を個別に行なうことができる入力操作器において、いずれかの系統の前記通信線において前記温水暖房システムとの通信が所定時間以上中断した場合には、当該系統の入力操作を受け付けないようにする手段を備えたものである。
【０００８】
この入力操作器にあっては、いずれかの系統の通信線を通して行なっている前記温水暖房システムとの通信が所定時間以上中断した場合には、その系統の通信線が断線していると判断し、その系統の入力操作を受け付けないようにする。従って、通信線が断線した場合には、当該系統の入力操作が不可能になり、使用者にその系統の信号線が断線していることを伝えることができ、従来のように使用者を混乱させることがない。
【００１０】
【発明の実施の形態】
図２は２系統の床暖房パネル２２Ａ、２２Ｂに接続された温水暖房システム２３と２系統用に用いられるリモートコントローラ２１を示す図である。各床暖房パネル２２Ａ，２２Ｂに接続された戻り管２４Ａ，２４Ｂには水開閉弁を兼ねた流量制御弁２５が設けられており、戻り管２４Ａ，２４Ｂを合流させた戻り本管２４には循環ポンプ２６を設けている。戻り本管２４と往き管２７の間には熱交換器２８を設けてあり、熱交換器２８を通過する湯はガスバーナー２９によって加熱され、往き管２７へ出湯される。往き管２７は分岐して床暖房パネル２２Ａ，２２Ｂに接続されている。
【００１１】
しかして、熱交換器２８で加熱された湯は、往き管２７及び戻り管２４Ａ，２４Ｂ等を通って床暖房パネル２２Ａ，２２Ｂを循環し、床暖房パネル２２Ａ、２２Ｂで放熱することによって室内を暖房する。また、本体コントローラ３０は各系統の通信線３１Ａ，３１Ｂを通じてリモートコントローラ２１と通信し、リモートコントローラ２１との通信により各系統の設定温度に応じて各流量調整弁２５等を制御する。
【００１２】
図３はリモートコントローラ２１の構成を示す概略図である。通信インターフェイス３２Ａ，３２Ｂはそれぞれ３芯の通信線３１Ａ，３１Ｂにより本体コントローラ３０と接続されている。通信線３１Ａ，３１Ｂは、それぞれ電源線４１、信号線４２及びアース線４３からなり、リモートコントローラ２１は電源線４１を通じて本体コントローラ３０から電力を受け取っている。通信インターフェイス３２Ａ，３２Ｂは、それぞれ給電された電力を、マイコン３３や液晶表示部３５等に電力を供給する制御電源３４に電力を供給している。従って、一方の通信線３１Ａ又は３１Ｂが断線していなければ、リモートコントローラ２１は動作する。また、各通信インターフェイス３２Ａ，３２Ｂはマイコン３３と通信しており、各種スイッチ類３６（図１参照）から入力された設定値や操作信号を通信線３１Ａ，３１Ｂを通じて本体コントローラ３０へ送信する。
【００１３】
このようなリモートコントローラ２１においては、両方の通信線３１Ａ，３１Ｂから制御電源３４に電力を供給されているので、いずれかの通信線３１Ａ，３１Ｂが断線しても両系統のスイッチ類３６は入力操作可能な状態となっている。そこで、本発明のリモートコントローラにあっては、一方の系統（Ａ系統）の信号を送信する通信線３１Ａによる本体コントローラ３０との通信と、他方の系統（Ｂ系統）の信号を送信する通信線３１Ｂによる本体コントローラ３０との通信とを監視し、一定時間以上通信が中断した場合には、当該通信線が断線していると判断し、その系統のスイッチ類３６による入力操作を受け付けないにしている。すなわち、その系統のスイッチ類３６を操作しても液晶表示部に反映されたり、受付け音がなったり、ランプが点灯しないよう無反応にする。これによってスイッチを操作したものは、異常に気が付くことになる。
【００１４】
具体的には、図４に示す手順で通信状態が監視される。まず、Ａ系統の場合には、Ａ系統の通信線３１Ａを通じて通信中であるか否か判定し（Ｓ１）、通信中であれば、減算式の通信タイマの値Ｎを初期値にセットする（Ｓ２）。そして、通信タイマの値Ｎが０か否か調べる（Ｓ３）。正常であれば、通信タイマの値Ｎは０ではないから、Ａ系統についての処理を終了する。
【００１５】
これに対し、Ａ系統の通信が中断した場合（Ｓ１）には、通信タイマの値Ｎが０か否か調べ（Ｓ６）、０でない場合には通信タイマの値を１だけ減らす（Ｓ７）。よって、図４の処理サイクルで通信状態を調べて通信していないと判断される度に通信タイマの値Ｎは１ずつ小さくなる。
【００１６】
こうして通信タイマの値Ｎが０となり、ステップＳ３で通信タイマの値Ｎが０になったと判断されると、Ａ系統が運転中であればＡ系統の運転を中止し（Ｓ４）、さらにＡ系統のスイッチ入力を不可能にする（Ｓ５）。
【００１７】
Ａ系統の処理とＢ系統の処理は交互に繰り返されており、Ｂ系統についても上記Ａ系統の処理（Ｓ１〜Ｓ７）と同じ処理を繰り返している（Ｓ８）。よって、Ｂ系統についても一定時間通信が中断すると、Ｂ系統の運転が中止され、さらにＢ系統のスイッチ入力が不可能になる。
【００１８】
なお、断線している系統であっても、再度接続されて本体コントローラ３０と通信した時点で通信タイマがリセットされるため、再びリモートコントローラのスイッチ入力が受付けられるようになる。
【図面の簡単な説明】
【図１】２系統用のリモートコントローラの正面図である。
【図２】２系統の床暖房パネルを運転するための温水暖房システムを示す概略構成図である。
【図３】同上のリモートコントローラの構成を示す概略図である。
【図４】同上のリモートコントローラにおける断線判断のための処理を示すフローチャートである。
【符号の説明】
２１  リモートコントローラ
２２Ａ，２２Ｂ  床暖房パネル
３０  ホンタイコントローラ
３１Ａ，３１Ｂ  通信線
【図１】
0003622521.tif 000002
【図２】
0003622521.tif 000003
【図３】
0003622521.tif 000004
【図４】
0003622521.tif 000005